(57)【要約】【課題】小型化が図られるとともに、低価格化に貢献する高周波受信装置を提供する。【解決手段】高周波受信機本体４０では、有底のシールドケース９内の回路基板１２に、分配器３ａ、３ｂとＲＦ信号を処理するフィルタ回路４ａ、４ｂ、ＡＧＣ増幅回路５ａ、５ｂ、ミキサー６ａ、６ｂ、局発回路８ａ、８ｂおよび復調回路１５ａ、１５ｂが設けられている。シールドケース９内は、仕切り部材４１によって６つの領域に仕切られて、シールドフタによって密閉されている。シールドケース９の第１側面に入力コネクタ１ａ、１ｂが取付けられ、第２側面には、分配器３ａによって分配されたＲＦ信号を出力する出力コネクタ７ａが取付けられ、第３側面には、分配器３ｂによって分配されたＲＦ信号を出力する出力コネクタ７ｂが取付けられている。【選択図】図２
2008294758.tif 000002
【特許請求の範囲】
【請求項１】
地上波放送と衛星放送とを受信する高周波受信装置であって、
所定の筐体と、
前記筐体内に設けられ、入力された地上波放送の第１信号を分配する第１分配器と、
前記筐体内に設けられ、入力された衛星放送の第２信号を分配する第２分配器と、
前記筐体内に設けられ、前記第１分配器によって分配される前記第１信号を処理して復調信号として出力する所定の第１回路部と、
前記筐体内に設けられ、前記第２分配器によって分配される前記第２信号を処理して復調信号として出力する所定の第２回路部と、
前記筐体に配設され、前記第１分配器によって分配された前記第１信号を出力する第１出力端子と、
前記筐体に配設され、前記第２分配器によって分配された前記第２信号を出力する第２出力端子と、
を備えた、高周波受信装置。
【請求項２】
前記第１分配器、前記第２分配器、前記第１回路部および前記第２回路部が実装される基板を備え、
前記筐体は、前記基板が収容される有底のシールドケースと、
前記シールドケースを塞ぐシールド蓋と
を含む、請求項１記載の高周波受信装置。
【請求項３】
前記第１出力端子および前記第２出力端子は前記シールドケースの側面部に配設された、請求項２記載の高周波受信装置。
【請求項４】
前記第１出力端子および前記第２出力端子は前記シールド蓋に配設された、請求項２記載の高周波受信装置。
【請求項５】
前記第１出力端子および前記第２出力端子は所定のジャックであり、
所定の前記ジャックは前記シールドケース内に配設され、
前記シールド蓋に、前記ジャックに接続される所定のプラグの挿通孔が設けられた、請求項４記載の高周波受信装置。
【請求項６】
所定の前記ジャックはＦ型ジャックであり、
所定の前記プラグはＦ型プラグである、請求項５記載の高周波受信装置。
【請求項７】
所定の前記ジャックはＲＣＡピンジャックであり、
所定の前記プラグはＲＣＡピンプラグである、請求項５記載の高周波受信装置。
【請求項８】
所定の前記ジャックはＳＭＢジャックであり、
所定の前記プラグはＳＭＢプラグである、請求項５記載の高周波受信装置。
【請求項９】
前記挿通孔の周囲に設けられ、前記プラグを前記ジャックに導くためのガイド部を備えた、請求項５〜８のいずれかに記載の高周波受信装置。
【発明の詳細な説明】
【技術分野】
【０００１】
本発明は高周波受信装置に関し、特に、地上波放送波と衛星放送波との双方を受信可能な複合型の高周波受信装置に関するものである。
【背景技術】
【０００２】
地上波放送や衛星放送を受信するために高周波受信装置が用いられる。そのような高周波受信装置の一例としてチューナについて説明する。図７に示すように、従来のチューナ１３０では、キャビネット１２０内にマザー基板１１９が配設され、そのマザー基板１１９に高周波受信機本体１４０、地上波放送用分配器ユニット１１３、衛星放送用分配器ユニット１１４、マイクロコンピュータ１１６、信号処理回路１１７および電源回路１１８等がそれぞれ所定の位置に実装されている。
【０００３】
図８に示すように、高周波受信機本体１４０では、シールドケース１０９内に回路ブロックとして、フィルタ回路１０４ａ，１０４ｂ、ＡＧＣ（Automatic gain Control）増幅回路１０５ａ，１０５ｂ、ミキサー１０６ａ，１０６ｂ、局発回路１０８ａ，１０８ｂおよび復調回路１１５ａ，１１５ｂが設けられて、シールドフタ１１０（図７参照）によって密閉されている。これらフィルタ回路１０４ａ，１０４ｂ等は、地上波放送のＲＦ（Radio Frequency）信号用と衛星放送のＲＦ信号用の２組ずつ設けられている。
【０００４】
シールドケース１０９内は、回路ブロックに応じて仕切り部材１４１によって仕切られている。フィルタ回路１０４ａ，１０４ｂ等は、その仕切り部材１４１によって仕切られた所定の領域に配設されている。
【０００５】
次に、チューナ１３０の機能について説明する。まず、地上波放送用分配器ユニット１１３および衛星放送用分配器ユニット１１４のそれぞれから出力される地上波放送のＲＦ信号と衛星放送のＲＦ信号がそれぞれ入力コネクタ１０１ａ，１０１ｂに入力する。入力コネクタ１０１ａに入力した地上波放送のＲＦ信号は、ＡＧＣ増幅回路１０５ａ、フィルタ回路１０４ａ、ミキサー１０６ａ、局発回路１０８ａおよび復調回路１１５ａのそれぞれの回路ブロックで処理される。
【０００６】
また、入力コネクタ１０１ｂに入力した衛星放送のＲＦ信号も、ＡＧＣ増幅回路１０５ｂ、フィルタ回路１０４ｂ、ミキサー１０６ｂ、局発回路１０８ｂおよび復調回路１１５ｂのそれぞれの回路ブロックで処理される。それぞれ処理されたＲＦ信号は、復調信号として信号処理回路１１７に出力される。
【０００７】
このとき、地上波放送のＲＦ信号の高調波が、衛星放送のＲＦ信号と局発信号のそれぞれと重なって干渉することがある。また、地上波放送の局発信号の高調波が、衛星放送のＲＦ信号と局発信号のそれぞれと重なって干渉することがある。そのため、このような干渉を防止するために、上記のように、シールドケース１０９内を回路ブロックに応じて仕切り部材１４１によって仕切ることで、信号の電気的絶縁が図られている。なお、チューナ１３０を開示した文献の一例として、特許文献１がある。
【特許文献１】実用新案登録第３０９６１７２号公報
【発明の開示】
【発明が解決しようとする課題】
【０００８】
しかしながら、従来の高周波受信装置としてのチューナでは次のような問題があった。近年、テレビジョン受像機、あるいは、ＤＶＤ（Digital Versatile Disc）レコーダ等では、薄型化および小型化が求められており、低価格化も進められている。そのため、これらの要求に対応するためにチューナも薄型化あるいは小型化が求められている。
【０００９】
上述したチューナ１３０では、図７に示すように、地上波放送と衛星放送との２つのＲＦ信号をそれぞれ受信して処理する高周波受信機本体１４０が内蔵されている。そのため、ＲＦ分配器１１３，１１４も２組必要とされ、チューナ１３０のキャビネット１２０内には、２つの高周波受信本体１４０と２つのＲＦ分配器１１３，１１４との合計４つのユニットを配設するためのスペースを確保しなければならず、このことが小型化等を阻害する要因の一つとなった。また、このようなユニットをマザー基板１１９に実装する作業も必要になり、これが、コストが嵩み低価格化を阻む要因の一つになった。
【００１０】
本発明は上記問題点を解決するためになされたものであり、その目的は、小型化が図られるとともに、低価格化に貢献する高周波受信装置を提供することである。
【課題を解決するための手段】
【００１１】
本発明に係る高周波受信装置は、地上波放送と衛星放送とを受信する高周波受信装置であって、所定の筐体と第１分配器と第２分配器と第１回路部と第２回路部と第１出力端子と第２出力端子とを備えている。第１分配器は筐体内に設けられ、入力された地上波放送の第１信号を分配する。第２分配器は筐体内に設けられ、入力された衛星放送の第２信号を分配する。第１回路部は筐体内に設けられ、第１分配器によって分配される第１信号を処理して復調信号として出力する。第２回路部は筐体内に設けられ、第２分配器によって分配される第２信号を処理して復調信号として出力する。第１出力端子は筐体に配設され、第１分配器によって分配された第１信号を出力する。第２出力端子は筐体に配設され、第２分配器によって分配された第２信号を出力する。
【００１２】
この構成によれば、地上波放送の第１信号と衛星放送の第２信号を処理する第１回路部および第２回路部に加えて、その第１信号と第２信号を分配する第１分配器と第２分配器とが高周波受信機本体となる筐体内に設けられている。これにより、第１分配器と第２分配器とが筐体とは別に設けられていた態様と比べると、高周波受信機本体内に第１分配器と第２分配器が収容されて、省スペース化と実装の工数を削減することができる。その結果、高周波受信機装置の小型化を図ることができるとともに、低価格化に貢献することができる。
【００１３】
より具体的には、第１分配器、第２分配器、第１回路部および第２回路部が実装される基板を備え、筐体は、その基板が収容される有底のシールドケースと、シールドケースを塞ぐシールド蓋とを含むことが好ましい。
【００１４】
第１出力端子および第２出力端子の位置としては、たとえば、シールドケースの側面部に配設されていることが好ましい。また、シールド蓋に配設されていてもよい。
【００１５】
その第１出力端子および第２出力端子としては所定のジャックが好ましく、そのようなジャックはシールドケース内に配設され、たとえばシールド蓋にジャックに接続される所定のプラグの挿通孔が設けられていることが好ましい。
【００１６】
ジャックおよびプラグとしては、Ｆ型ジャックおよびＦ型プラグ、ＲＣＡピンジャックおよびＲＣＡピンプラグ、あるいは、ＳＭＢジャックおよびＳＭＢプラグを適用することができる。
【００１７】
また、プラグをジャックに容易に接続させるために、挿通孔の周囲にはプラグをジャックに導くためのガイド部を備えていることが好ましい。
【発明を実施するための最良の形態】
【００１８】
本発明の実施の形態に係る高周波受信装置の一例としてのチューナについて説明する。図１に示すように、チューナ３０では、キャビネット２０内にマザー基板１９が配設され、そのマザー基板１９に高周波受信機本体４０が実装されている。その高周波受信基本体４０の他に、マザー基板１９には、マイクロコンピュータ１６、信号処理回路１７および電源回路１８等がそれぞれ所定の位置に実装されている。
【００１９】
図２に示すように、高周波受信機本体４０では、有底のシールドケース９内の回路基板１２に、地上波放送用の回路ブロックとして、初段増幅器２ａ、分配器３ａ、フィルタ回路４ａ、ＡＧＣ増幅回路５ａ、ミキサー６ａ、局発回路８ａおよび復調回路１５ａが設けられている。そして、衛星放送用の回路ブロックとして、同様に、初段増幅器２ｂ、分配器３ｂ、フィルタ回路４ｂ、ＡＧＣ増幅回路５ｂ、ミキサー６ｂ、局発回路８ｂおよび復調回路１５ｂが設けられている。
【００２０】
シールドケース９内は、回路ブロックに対応して仕切り部材４１によって６つの領域に仕切られている。地上波放送用の初段増幅器２ａおよび分配器３ａは第１領域９ａに設けられ、フィルタ回路４ａ、ＡＧＣ増幅回路５ａ、ミキサ６ａおよび復調回路１５ａは第２領域９ｂに設けられている。そして、局発回路８ａは第３領域９ｃに設けられている。衛星放送用の初段増幅器２ｂおよび分配器３ｂは第４領域９ｄに設けられ、フィルタ回路４ｂ、ＡＧＣ増幅回路５ｂ、ミキサー６ｂおよび復調回路１５ｂは第５領域９ｅに設けられている。そして、局発回路８ｂは第６領域９ｆに設けられている。
【００２１】
図１に示すように、回路ブロックが収容された有底のシールドケース９内は、シールドフタ１０によって密閉されている。その有底のシールドケース９の第１側面９９ａには、地上波放送用のＲＦ信号が入力する入力コネクタ１ａと、衛星放送用のＲＦ信号が入力する入力コネクタ１ｂが取付けられている。また、シールドケース９の第２側面９９ｂには、分配器３ａによって分配された地上波放送用のＲＦ信号を出力する出力コネクタ７ａが取付けられている。そして、シールドケース９の第３側面９９ｃには、分配器３ｂによって分配された衛星放送用のＲＦ信号を出力する出力コネクタ７ｂが取付けられている。
【００２２】
次に、チューナ３０の機能について説明する。まず、入力コネクタ１ａから入力した地上波放送用のＲＦ信号は初段増幅回路２ａにて増幅されて分配器３ａに入力する。分配器３ａに入力したＲＦ信号は、ＡＧＣ回路５ａ等へ送られるＲＦ信号と、高周波受信機本体４０の外部へ出力するＲＦ信号とに電力分配される。高周波受信機本体４０の外部へ出力するＲＦ信号は出力コネクタ７ａを経て外部へ出力される。一方、ＡＧＣ回路５ａへ送られたＲＦ信号は、フィルタ回路４ａ、ミキサ６ａ、復調回路１５ａおよび局発回路８ａにて処理される。処理された信号は、復調信号として信号処理回路１７に出力される。
【００２３】
次に、入力コネクタ１ｂから入力した衛星放送用のＲＦ信号も、地上波放送用のＲＦ信号と同様に、初段増幅回路２ｂにて増幅されて分配器３ｂに入力する。分配器３ｂに入力したＲＦ信号は、ＡＧＣ回路５ｂ等へ送られるＲＦ信号と、高周波受信機本体４０の外部へ出力するＲＦ信号とに電力分配される。高周波受信機本体４０の外部へ出力するＲＦ信号は出力コネクタ７ｂを経て外部へ出力される。一方、ＡＧＣ回路５ｂへ送られたＲＦ信号は、フィルタ回路４ｂ、ミキサ６ｂ、復調回路１５ｂおよび局発回路８ｂにて処理される。処理された信号は、復調信号として信号処理回路１７に出力される。
【００２４】
上述したチューナ３０では、高周波受信機本体４０のシールドケース９内に、地上波放送用あるいは衛星放送用のＲＦ信号を処理する所定の回路とともに、ＲＦ信号を分配して出力する分配器３ａ，３ｂが設けられている。これにより、従来、分配器が高周波受信機本体と別体であったのが、高周波受信本体４０と分配器３ａ，３ｂとが一体にされて、省スペース化と実装の工数を削減することができる。その結果、高周波受信機装置としてのチューナ３０の小型化を図ることができるとともに、低価格化に貢献することができる。
【００２５】
また、チューナ３０の高周波受信機本体４０では、初段増幅器２ａ，２ｂはチューナ３０のＮＦ（Noise Figure）を良好にするために低雑音のものが配置されるが、入力コネクタ１ａ，１ｂから入力されるＲＦ信号が大き過ぎる場合には、歪み成分として高調波が発生してしまう。また、局発回路８ａ，８ｂは局発信号の他に、局発信号の高調波も発生させる。
【００２６】
このように高調波が発生しやすい場合でも、地上波放送用のＲＦ信号を処理する回路ブロックと衛星放送用のＲＦ信号を処理する回路ブロックとが仕切り部材４１によって仕切られていることで、地上波放送用のＲＦ信号と衛星放送用のＲＦ信号とが干渉するのを確実に抑制することができる。
【００２７】
変形例１
上述したチューナ３０の高周波受信機本体４０では、分配された地上波放送用のＲＦ信号を出力する出力コネクタ７ａと分配された衛星放送用のＲＦ信号を出力する出力コネクタ７ｂとが、シールドケース９における互いに対向する第２側面９９ｂと第３側面９９ｃにそれぞれ取付けられる場合を例に挙げて説明した。この他に、図３に示すように、出力コネクタを７ａ，７ｂ、たとえばシールドフタ１０に取付けるようにしてもよい。この場合にも、地上波放送用のＲＦ信号と衛星放送用のＲＦ信号とが干渉するのを抑制することができる。
【００２８】
変形例２
出力コネクタ７ａ，７ｂとしてジャック２１とプラグ２５を適用することが好ましい（図３参照）。そのようなジャックとプラグの一例として、図４に示すように、たとえば高周波特性に優れたＦ型ジャック２２とＦ型プラグ２６を適用してもよい。この場合には、Ｆ型ジャック２２のセンターコンタクト２２ａに、Ｆ型プラグ２６のセンターコンタクト２６ａが接続されることになる。
【００２９】
また、図５に示すように、たとえば地上波放送用機器に広く使用されているＲＣＡ（Radio Cooperation of America）ピンジャック２３とＲＣＡピンプラグ２７を適用してもよい。この場合には、ＲＣＡピンジャック２３のセンターコンタクトにＲＣＡピンプラグ２７のセンターコンタクト２７ａが接続されることになる。
【００３０】
さらに、図６に示すように、たとえばＧＨｚ帯の通信機器に使用されているＳＭＢ（Sub Miniature Type B）ジャック２４とＳＭＢプラグ２８を適用してもよい。この場合には、ＳＭＢジャック２４のセンターコンタクト２４ａにＳＭＢプラグ２８のセンターコンタクト２８ａが接続されることになる。
【００３１】
このような同軸構造でシールド性の高いジャックとプラグを適用することで、高周波受信機本体の内部からの信号の輻射や、外部から信号の入射を抑制することができる。また、図３に示すように、ジャック２１をシールドケース９内に配設し、シールドフタ１０に開口部分を切り起こしたガイド部１１を設けてもよい。これにより、プラグ２５のジャック２１への挿入を容易に行なうことができる。
【００３２】
今回開示された実施の形態は例示であってこれに制限されるものではない。本発明は上記で説明した範囲ではなく、特許請求の範囲によって示され、特許請求の範囲と均等の意味および範囲でのすべての変更が含まれることが意図される。
【図面の簡単な説明】
【００３３】
【図１】本発明の実施の形態に係るチューナの内部を示す部分斜視図である。
【図２】同実施の形態にいて、高周波受信機本体の内部の回路構成を示す平面図である。
【図３】同実施の形態において、高周波受信機本体を示す斜視図である。
【図４】同実施の形態において、出力コネクタとしてのＦ型ジャックとＦ型プラグを示す部分斜視図である。
【図５】同実施の形態において、出力コネクタとしてのＲＣＡピンジャックとＲＣＡピンプラグを示す部分斜視図である。
【図６】同実施の形態において、出力コネクタとしてのＳＭＢジャックとＳＭＢプラグを示す部分斜視図である。
【図７】従来のチューナの内部を示す部分斜視図である。
【図８】従来のチューナにおける高周波受信機本体の内部の回路構成を示す平面図である。
【符号の説明】
【００３４】
１ａ，１ｂ  入力コネクタ、２ａ，２ｂ  初段増幅器、３ａ，３ｂ  分配器、４ａ，４ｂ  フィルタ回路、５ａ，５ｂ  ＡＧＣ回路、６ａ，６ｂ  ミキサ、７ａ，７ｂ  出力コネクタ、８ａ，８ｂ  局発回路、９  シールドケース、９ａ  第１領域、９ｂ  第２領域、９ｃ  第３領域、９ｄ  第４領域、９ｅ  第５領域、９ｆ  第６領域、１０  シールド蓋、１１  ガイド部、１２  回路基板、１５  復調回路、１６  マイクロコンピュータ、１７  信号処理回路、１８  電源回路、１９  マザー基板、２０  キャビネット、２１  ジャック、２２  Ｆ型ジャック、２３  ＲＣＡピンジャック、２４  ＳＭＢジャック、２５  プラグ、２６  Ｆ型プラグ、２７  ＲＣＡピンプラグ、２８  ＳＭＢプラグ、４１  仕切り部材、９９ａ  第１側面、９９ｂ  第２側面、９９ｃ  第３側面。
【図１】
2008294758.tif 000003
【図２】
2008294758.tif 000004
【図３】
2008294758.tif 000005
【図４】
2008294758.tif 000006
【図５】
2008294758.tif 000007
【図６】
2008294758.tif 000008
【図７】
2008294758.tif 000009
【図８】
2008294758.tif 000010